【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  通信媒体を介して外部装置から受信するジョブを解析して印刷部が印刷可能な印刷データを生成する印刷制御装置であって、
前記ジョブの実行に伴い変動する前記印刷部の管理情報を記憶する記憶手段と、
前記印刷データの生成前に、前記ジョブを特定するためのジョブ情報を前記外部装置から取得する取得手段と、
前記取得手段により取得された前記ジョブ情報と前記管理情報とに基づき受信すべきジョブの実行に関して問題があるかどうかを予測判定する第１の判定手段と、
前記第１の判定手段により実行に関して問題ありと予測判定された場合に、予測判定結果に従うメッセージを前記ジョブ情報を取得した前記外部装置に送信する送信手段と、
前記送信手段による前記メッセージの送信後に、前記外部装置からの要求が続行指示かどうかを判定する第２の判定手段と、
前記第２の判定手段により前記外部装置からの要求が続行指示であると判定した場合に、前記管理情報を更新して前記ジョブを受信するようにジョブ処理を制御する制御手段と、
を有することを特徴とする印刷制御装置。
【請求項２】  前記制御手段は、前記第２の判定手段により前記外部装置からの要求が続行指示でないと判定した場合に、前記取得手段により取得された前記ジョブ情報を削除することを特徴とする請求項１記載の印刷制御装置。
【請求項３】  前記記憶手段は、主メモリであることを特徴とする請求項１記載の印刷制御装置。
【請求項４】  前記記憶手段は、二次記憶装置であることを特徴とする請求項１記載の印刷制御装置。
【請求項５】  前記ジョブ情報は、ジョブを実行する際に必要な機能装備情報を含むことを特徴とする請求項１記載の印刷制御装置。
【請求項６】  前記ジョブ情報は、ジョブを実行する際に必要な用紙情報を含むことを特徴とする請求項１記載の印刷制御装置。
【請求項７】  前記ジョブ情報は、前記外部装置で計算されたジョブの予想処理時間を含むことを特徴とする請求項１記載の印刷制御装置。
【請求項８】  前記管理情報は、前記印刷部が具備する機能装備情報を含むことを特徴とする請求項１記載の印刷制御装置。
【請求項９】  前記管理情報は、前記印刷部に残存する用紙枚数などの用紙情報を含むことを特徴とする請求項１記載の印刷制御装置。
【請求項１０】  前記管理情報は、前記外部装置で計算されたジョブの予想処理時間を含むことを特徴とする請求項１記載の印刷制御装置。
【請求項１１】  前記管理情報は、レベル分けされ管理されている許容値情報を含むことを特徴とする請求項１記載の印刷制御装置。
【請求項１２】  通信媒体を介して外部装置から受信するジョブを解析して印刷部が印刷可能な印刷データを生成する印刷制御装置における印刷制御方法であって、
前記印刷データの生成前に、前記ジョブを特定するためのジョブ情報を前記外部装置から取得する取得工程と、
前記取得工程により取得された前記ジョブ情報と記憶装置に記憶される前記ジョブの実行に伴い変動する前記印刷部の管理情報とに基づき受信すべきジョブの実行に関して問題があるかどうかを予測判定する第１の判定工程と、
前記第１の判定工程により実行に関して問題ありと予測判定された場合に、予測判定結果に従うメッセージを前記ジョブ情報を取得した前記外部装置に送信する送信工程と、
前記送信工程による前記メッセージの送信後に、前記外部装置からの要求が続行指示かどうかを判定する第２の判定工程と、
前記第２の判定工程により前記外部装置からの要求が続行指示であると判定した場合に、前記管理情報を更新して前記ジョブを受信するようにジョブ処理を制御するジョブ実行制御工程と、
を有することを特徴とする印刷制御方法。
【請求項１３】  前記ジョブ実行制御工程は、前記第２の判定工程により前記外部装置からの要求が続行指示でないと判定した場合に、前記取得工程により取得された前記ジョブ情報を削除することを特徴とする請求項１２記載の印刷制御方法。
【請求項１４】  前記記憶装置は、主メモリであることを特徴とする請求項１２記載の印刷制御方法。
【請求項１５】  前記記憶装置は、二次記憶装置であることを特徴とする請求項１２記載の印刷制御方法。
【請求項１６】  前記ジョブ情報は、ジョブを実行する際に必要な機能装備情報を含むことを特徴とする請求項１２記載の印刷制御方法。
【請求項１７】  前記ジョブ情報は、ジョブを実行する際に必要な用紙情報を含むことを特徴とする請求項１２記載の印刷制御方法。
【請求項１８】  前記ジョブ情報は、前記外部装置で計算されたジョブの予想処理時間を含むことを特徴とする請求項１２記載の印刷制御方法。
【請求項１９】  前記管理情報は、前記印刷部が具備する機能装備情報を含むことを特徴とする請求項１２記載の印刷制御方法。
【請求項２０】  前記管理情報は、前記印刷部に残存する用紙枚数などの用紙情報を含むことを特徴とする請求項１２記載の印刷制御方法。
【請求項２１】  前記管理情報は、前記外部装置で計算されたジョブの予想処理時間を含むことを特徴とする請求項１２記載の印刷制御方法。
【請求項２２】  前記管理情報は、レベル分けされ管理されている許容値情報を含むことを特徴とする請求項１２記載の印刷制御方法。
【請求項２３】  請求項１２乃至２２のいずれか１項に記載の印刷制御方法を実行するプログラムをコンピュータが読み出し可能に格納した記憶媒体。
【手続補正２】
【補正対象書類名】明細書
【補正対象項目名】０００５
【補正方法】変更
【補正の内容】
【０００５】
本発明に係る第１の発明は、通信媒体（インタフェースケーブル，ネットワーク等を含む）を介して外部装置から受信するジョブを解析して印刷部（図２に示す印刷部１２）が印刷可能な印刷データを生成する印刷制御装置であって、前記ジョブの実行に伴い変動する前記印刷部の管理情報を記憶する記憶手段（図２に示すＲＡＭ３，ハードディスク９）と、前記印刷データの生成前に、前記ジョブを特定するためのジョブ情報を前記外部装置から取得する取得手段（図２に示す入力部７が受信処理する）と、前記取得手段により取得された前記ジョブ情報と前記管理情報とに基づき受信すべきジョブの実行に関して問題があるかどうかを予測判定する第１の判定手段（図２に示すＣＰＵ１がＲＯＭ２，ハードディスク９等に記憶される制御プログラムを実行して判定処理する）と、前記第１の判定手段により実行に関して問題がありと予測判定された場合に、予測判定結果に従うメッセージを前記ジョブ情報を取得した前記外部装置に送信する送信手段（図２に示す入力部７が送信処理する）と、前記送信手段による前記メッセージの送信後に、前記外部装置からの要求が続行指示かどうかを判定する第２の判定手段（図２に示すＣＰＵ１がＲＯＭ２，ハードディスク９等に記憶される制御プログラムを実行して判定処理する）と、前記第２の判定手段により前記外部装置からの要求が続行指示であると判定した場合に、前記管理情報を更新して前記ジョブを受信するようにジョブ処理を制御する制御手段（図２に示すＣＰＵ１がＲＯＭ２，ハードディスク９等に記憶される制御プログラムを実行して制御する）とを有するものである。
【手続補正３】
【補正対象書類名】明細書
【補正対象項目名】００１６
【補正方法】変更
【補正の内容】
【００１６】
本発明に係る第１２の発明は、通信媒体（インタフェースケーブル，ネットワーク等を含む）を介して外部装置（図２に示す外部装置１３）から受信するジョブを解析して印刷部（図２に示す印刷部１２）が印刷可能な印刷データを生成する印刷制御装置における印刷制御方法であって、前記印刷データの生成前に、前記ジョブを特定するためのジョブ情報を前記外部装置から取得する取得工程（図５に示すステップＳ５０１，図６に示すステップＳ６０１，図７に示すステップＳ７０１）と、前記取得工程により取得された前記ジョブ情報と記憶装置に記憶される前記ジョブの実行に伴い変動する前記印刷部の管理情報とに基づき受信すべきジョブの実行に関して問題があるかどうかを予測判定する第１の判定工程（図５に示すステップＳ５０３，図６に示すステップＳ６０３，図７に示すステップＳ７０３）と、前記第１の判定工程により実行に関して問題ありと予測判定された場合に、予測判定結果に従うメッセージを前記ジョブ情報を取得した前記外部装置に送信する送信工程（図５に示すステップＳ５０４，図６に示すステップＳ６０５，図７に示すステップＳ７０４）と、前記送信工程による前記メッセージの送信後に、前記外部装置からの要求が続行指示かどうかを判定する第２の判定工程（図５に示すステップＳ５０５，図６に示すステップＳ６０６，図７に示すステップＳ７０５）と、前記第２の判定工程により前記外部装置からの要求が続行指示であると判定した場合に、前記管理情報を更新して前記ジョブを受信するようにジョブ処理を制御するジョブ実行制御工程（図５に示すステップＳ５０６，Ｓ５０７，Ｓ５１０，図６に示すステップＳ６０７，Ｓ６０８，Ｓ６１２，図７に示すステップＳ７０６，Ｓ７０９）とを有するものである。
【手続補正４】
【補正対象書類名】明細書
【補正対象項目名】００２７
【補正方法】変更
【補正の内容】
【００２７】
本発明に係る第２３の発明は、第１２乃至第２２のいずれかの印刷制御方法を実行するプログラムをコンピュータが読み出し可能に格納した記憶媒体であることを特徴とする。
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】